(57)【特許請求の範囲】
【請求項１】
タッチパネルを具備する情報処理装置であって、
ロック状態において、表示用アプリケーション画像を含むロック画面を表示する表示部と、
ユーザ操作を受け付ける操作部と、
前記表示部のロック状態においてユーザによる切替操作がなされた場合に、その切替操作に応じて前記ロック画面に含まれる表示用アプリケーション画像を他の表示用アプリケーション画像に切り替える表示部の表示内容を制御する制御部とを具備する情報処理装置。
【請求項２】
前記表示部がロック状態にある場合に、前記操作部に対するユーザ操作に応じてロック状態を解除して、前記表示部のロック画面を切り替えるようにした請求項１記載の情報処理装置。
【請求項３】
前記制御部は、前記操作部に表示されるロック解除アイコンに対するユーザ操作によりロック状態の解除が指示されたか否かを判定する操作内容判定部と、前記表示部を制御する表示制御部とを具備し、前記操作内容判定部は前記ロック解除アイコンに対するユーザ操作に応じて前記表示部の表示内容を切り替えるか否かを判定するようにした請求項１記載の情報処理装置。
【請求項４】
前記操作部における前記ロック解除アイコンに対するユーザ操作により前記表示部の表示内容の切替指示を受け付けた場合、前記表示制御部は前記ロック解除アイコンに対するユーザ操作の時間長に応じて前記表示内容を切り替えるようにした請求項３記載の情報処理装置。
【請求項５】
前記操作部がユーザ操作により前記ロック解除アイコンが所定方向に移動したことを検出すると、前記操作内容判定部は前記ロック解除アイコンの移動後の位置に応じて前記表示部の表示内容の切替指示を受け付けたか否かを判定するようにした請求項４記載の情報処理装置。
【請求項６】
前記操作部が前記表示部の表示内容の切替指示を受け付けた場合、前記表示制御部は前記ロック解除アイコンに対するユーザ操作により前記表示部に現在表示されている画像をロック画面の表示画像として確定するようにした請求項３記載の情報処理装置。
【請求項７】
前記操作部がロック状態において前記表示部の表示内容の切替指示を受け付けた場合、前記表示制御部はロック状態を維持したままロック画面の表示内容を制御するようにした請求項３記載の情報処理装置。
【請求項８】
前記操作部がロック状態において前記表示部の表示内容切替指示を受け付けた場合、前記操作内容判定部は前記表示部のロック状態を解除するか否かを判定し、前記操作内容判定部はロック状態を解除すると判定した場合、前記表示制御部はロック状態を解除するとともにロック画面の表示内容を制御するようにした請求項３記載の情報処理装置。
【請求項９】
前記操作部において前記ロック解除アイコンは初期位置に設定されており、ユーザ操作に応じてスライドバーを経由してエンドマークまで前記ロック解除アイコンが移動されるものであり、前記ロック解除アイコンに対するユーザ操作の時間長、或いは、前記スライドバーと前記エンドマークとの間の前記ロック解除アイコンの位置に応じて前記操作内容判定部の処理及び前記表示制御部の処理が実行されるようにした請求項３記載の情報処理装置。
【請求項１０】
前記表示部に表示される画像の最大表示数が予め設定されており、前記表示制御部はその最大表示数を超えない数の画像を前記表示部に表示するようにした請求項３記載の情報処理装置。
【請求項１１】
タッチパネルを具備する情報処理装置に適用される情報処理方法であって、
ユーザ操作により、ロック状態が解除されたか否かを判定し、
ロック状態において表示用アプリケーション画像を含むロック画面を表示し、
前記ロック状態においてユーザによる表示内容の切替指示がなされた場合に、その切替操作に応じて前記ロック画面に含まれる表示用アプリケーション画像を他の表示用アプリケーション画像に切り替えるようにした情報処理方法。
【請求項１２】
タッチパネルを具備する情報処理装置に実装されるプログラムであって、
ユーザ操作により、ロック状態が解除されたか否かを判定し、
ロック状態において表示用アプリケーション画像を含むロック画面を表示し、
前記ロック状態においてユーザによる表示内容の切替指示がなされた場合に、その切替操作に応じて前記ロック画面に含まれる表示用アプリケーション画像を他の表示用アプリケーション画像に切り替えるようにしたプログラム。
【発明の詳細な説明】
【技術分野】
【０００１】
本発明は、タッチパネルを搭載する情報処理装置に関し、特に、表示内容のロック状態を解除する機能を有する情報処理装置に関する。
本願は、２０１１年９月１６日に日本国に出願された特願２０１１−２０２８６２号に基づき優先権を主張し、その内容をここに援用する。
【背景技術】
【０００２】
近年、スマートフォンやタブレット型端末等の携帯端末が普及している。この携帯端末やコンピュータシステムにおいてユーザの認証技術や画面表示技術に特徴を有する技術が開発されている。例えば、特許文献１は電子デバイスに組み込まれた認証システムを開示しており、これはユーザの生体情報検出センサによりユーザ認証を実行するか、或いは、視覚的または時間的な入力パターンを検出してユーザ認証を行なうものである。特許文献２は画像表示方法を開示しており、これはインターネットを介してコンピュータ画面に複数の画像領域を時間差をあけて自動的に表示するとともに、ユーザに任意にスタート表示やストップ表示を行なわせるものである。特許文献３は認証デバイス排出時の状態遷移決定プログラムを開示しており、これは認証デバイス排出を検出して、計算機のロック中を示すとともに、ロック解除画面表示に移行するものである。特許文献４は主画面と補助画面からなるモニタを用いるインターネット広告システムを開示しており、これはユーザが用いるプログラムの主処理内容が表示される主画面と、ユーザが使用するコンピュータの使用環境表示とメディア表示とウェブページとを連結する補助画面を表示するものである。特許文献５はコンピュータシステムのグラフィックユーザインタフェース（ＧＵＩ）内の制御を保護する方法及び装置を開示しており、これはユーザが保護アイコンを作動して認証ボックスによりユーザ名、パスワードを入力すると、保護シールドまたはカバーが制御領域から自動的に除去されるものである。特許文献６は端末装置のセキュリティ保護方法を開示しており、これは端末装置のＥＥＰＲＯＭにパスワード格納領域とロック又はアンロック状態のいずれかを格納するセキュリティ状態記憶領域を設けたものである。【０００３】
タッチパネルを搭載する携帯端末では、ユーザによる誤操作を防止するために入力する操作を制限するロック機能を実装するものがある。例えば、ロック状態（即ち、ロック機能が発揮されている状態）においてロック解除アイコンを表示したロック画面が端末のタッチパネルに表示される。ユーザがロック解除アイコンをタッチパネル上の特定位置まで移動させる操作を行なうことにより、端末はロック状態を解除する。このロック状態において、現在の時刻や待ち受け画面を表示する端末においては、ユーザはロック状態を解除する操作を実行しなくても現在の時刻を認識することができる。
【先行技術文献】
【特許文献】
【０００４】
【特許文献１】特表２０１０−５４１０４６号公報
【特許文献２】特開２００８−２１０３９５号公報
【特許文献３】特開２００５−４３８９号公報
【特許文献４】特開２００１−２１６４３９号公報
【特許文献５】特開２０００−１８１５９７号公報
【特許文献６】特開平６−３５８５８号公報
【発明の概要】
【発明が解決しようとする課題】
【０００５】
上述の従来例では、端末のロック状態において表示される表示内容を変更する場合、ロック状態を解除する操作をした後、ユーザは端末の環境設定として登録されているロック状態における表示内容を変更する操作をしなければならなかった。このため、ユーザにとって端末の操作性が悪く、面倒であった。【０００６】
本発明は、上記の課題を解決することができるロック解除機能を有する情報処理装置を提供することを目的とする。
【課題を解決するための手段】
【０００７】
本発明はタッチパネルを具備する情報処理装置に関し、ロック状態において、表示用アプリケーション画像を含むロック画面を表示する表示部と、ユーザ操作を受け付ける操作部と、表示部のロック状態においてユーザによる切替操作がなされた場合に、その切替操作に応じてロック画面に含まれる表示用アプリケーション画像を他の表示用アプリケーション画像に切り替える制御部とを具備する。
【０００８】
本発明は、タッチパネルを具備する情報処理装置に適用される情報処理方法に関し、ユーザ操作により、ロック状態が解除されたか否かを判定し、ロック状態において表示用アプリケーション画像を含むロック画面を表示し、前記ロック状態においてユーザによる表示内容の切替指示がなされた場合に、その切替操作に応じて前記ロック画面に含まれる表示用アプリケーション画像を他の表示用アプリケーション画像に切り替えるようにする。
ョン画像に切り替える制御部とを具備する。
【０００９】
本発明は、タッチパネルを具備する情報処理装置に実装されるプログラムに関し、ユーザ操作により、ロック状態が解除されたか否かを判定し、ロック状態において表示用アプリケーション画像を含むロック画面を表示し、前記ロック状態においてユーザによる表示内容の切替指示がなされた場合に、その切替操作に応じて前記ロック画面に含まれる表示用アプリケーション画像を他の表示用アプリケーション画像に切り替えるように情報処理装置を制御する。
【００１０】
具体的には、情報処理装置は携帯端末であり、タッチパネル上の操作部においてロック解除アイコンを表示して、当該ロック解除アイコンに対するユーザ操作に応じてロック状態の解除、ロック画面の表示内容切替を行なう。
【発明の効果】
【００１１】
本発明によれば、情報処理装置においてロック状態のロック画面の表示内容を容易に変更することができる。また、ユーザの誤操作によるロック画面の解除やその表示内容の不必要な変更を防止することができる。
【図面の簡単な説明】
【００１２】
【図１】本発明の実施例１に係る携帯端末が適用される通信ネットワークシステムの構成図である。
【図２】本発明の実施例１に係る携帯端末の構成を示すブロック図である。
【図３】本発明の実施例１に係る携帯端末が記憶する起動時の表示用アプリケーションを示す一覧表である。
【図４】本発明の実施例１に係る携帯端末におけるロック画面の一例を示す拡大正面図である。
【図５】図４に示すロック画面においてユーザが指で行なったロック解除アイコンを移動させるスライド操作の手順を示す拡大正面図である。
【図６】図５に示すユーザの指によるスライド操作に引き続くユーザ操作の手順を示す拡大正面図である。
【図７】図５及び図６で説明したユーザ操作に応答する携帯端末の表示用アプリケーション切替処理の時系列シーケンス図である。
【図８】本発明の実施例１に係る携帯端末の基本的な処理を示すフローチャートである。
【図９】本発明の実施例１に係る携帯端末のロック画面表示処理を示すフローチャートである。
【図１０】本発明の実施例１に係る携帯端末の表示用アプリケーション切替処理を示すフローチャートである。
【図１１】本発明の実施例１の変形例に係る携帯端末の表示用アプリケーション切替処理を示すフローチャートである。
【図１２】本発明の実施例２に係る携帯端末のロック画面の一例を示す拡大正面図である。
【図１３】図１２に示すロック画面においてユーザが指で行なったロック解除アイコンを移動させるスライド操作の手順を示す拡大正面図である。
【図１４】図１３に示すユーザの指によるスライド操作に引き続くユーザ操作の手順を示す拡大正面図である。
【図１５】本発明の実施例２に係る携帯端末の基本的な処理を示すフローチャートである。
【図１６】本発明の実施例２に係る携帯端末のロック画面表示処理を示すフローチャートである。
【図１７】本発明の実施例２の変形例に係る携帯端末のロック画面を示す拡大正面図である。
【図１８】本発明の実施例３に係る携帯端末においてユーザのスライド操作に引き続く処理を示す拡大正面図である。
【図１９】本発明の実施例３に係る携帯端末の表示用アプリケーション切替処理を示すフローチャートである。
【図２０】本発明の実施例３の変形例に係る携帯端末の表示用アプリケーション切替処理を示すフローチャートである。
【発明を実施するための形態】
【００１３】
本発明に係るロック解除機能を有する情報処理装置について添付図面を参照して詳細に説明する。
【実施例１】
【００１４】
図１は、本発明の実施例１に係る情報処理装置として携帯端末１が適用される通信ネットワークシステムの構成図である。尚、本発明に係る情報処理装置は携帯端末１に限定されるものではなく、スマートフォン、携帯ゲーム機、ＰＤＡ（Ｐｅｒｓｏｎａｌ  Ｄｉｇｉｔａｌ  Ａｓｓｉｓｔａｎｔ）、タブレット型ＰＣ（Ｐｅｒｓｏｎａｌ  Ｃｏｍｐｕｔｅｒ）、或いは、ノート型ＰＣであってもよい。携帯端末１には、例えば、通話機能、電子メール機能、インターネット接続機能（Ｗｅｂアクセス機能）、デジタルテレビ放送（例えば、ワンセグ地上デジタルテレビ放送）を受信して視聴が可能なテレビ機能を具備する。【００１５】
携帯端末１は、最寄の基地局２Ａと交換機２Ｂとを介して、無線通信網（移動体通信網）２に接続されると、この無線通信網２を介して他の携帯端末３との間で通話可能となる。また、携帯端末１を無線通信網２を介してインターネット４に接続されると、Ｗｅｂサイトをアクセスして閲覧可能となる。また、サーバ５から動画、静止画、音楽、ニュース、音楽などのマルチメディアのコンテンツをインターネット４、無線通信網２を介してダウンロードして再生するストリーミングが可能となる。【００１６】
図２は、携帯端末１の基本的な構成要素を示したブロック図である。携帯端末１は、タッチパネル１０１と、制御部１０２と、記憶部１０３と、音声信号処理部１０４と、通信部１０５と、タイマー１０６と、検出部１０７とを具備する。この携帯端末１は、ロック機能が発揮されているロック状態において、ロック画面をタッチパネル１０１に表示する。ロック状態において、ユーザによりロック解除操作が入力された場合、携帯端末１はロック状態を解除してロック解除状態となるように設定を変更する。ロック状態からロック解除状態に変更された場合、携帯端末１は記憶部１０３に予め登録されている環境設定情報に基づき、ロック解除状態において表示することが予め決められているホール画面、或いは、メニュー画面を表示する。この環境設定情報としては、ロック解除状態に変更された際に最初に表示する画面やアイコンを示す情報が登録されている。【００１７】
ロック状態とは、タッチパネル１０１に対して入力可能な操作のうち一部の操作入力が制限されている状態をいう。携帯端末１がロック状態に設定されている場合、タッチパネル１０１の全体画面のうち一部の領域である操作画面に入力される操作のみを受け付ける。つまり、タッチパネル１０１の全体画面のうち操作画面以外の領域に対する操作入力が制限される。ロック解除状態とは、ロック状態において制限されていた操作入力の制限が解除された状態をいう。携帯端末１がロック解除状態である場合、タッチパネル１０１の全体画面において入力される操作を受け付ける。【００１８】
タッチパネル１０１は、操作部１１１と表示部１１２とを含む。操作部１１１は、ユーザからの操作を受け付けるセンサを具備し、センサによる検出結果を制御部１０２に出力する。操作部１１１は、操作画面に接触するユーザの指の接触位置を一定の時間間隔毎にセンサにより検出し、このセンサの検出結果を出力する。操作部１１１の構成はこれに限定されるものではなく、例えば、操作画面に近接するユーザの指や操作指示手段の位置を非接触センサにより検出するものであってもよい。表示部１１２は、制御部１０２の制御に応じた表示内容を表示する。この表示部１１２は、タッチパネル１０１として操作部１１１と一体的に設けられており、操作部１１１が操作を受け付ける際の操作画面を表示する。【００１９】
制御部１０２は、記憶部１０３に格納されている各種情報を読み出し、携帯端末１を統括的に制御する。この制御部１０２は、操作内容判定部１２１と、表示制御部１２２と、登録部１２３とを具備する。操作内容判定部１２１は、操作部１１１からの出力に基づいて操作部１１１が受け付けた操作内容を判定する。操作内容判定部１２１は、操作部１１１の検出結果が示すユーザの指の接触位置及び接触時間からユーザの指の動きを判定する。操作内容判定部１２１は、ユーザの指の動きと、その操作を受け付けた際に表示部１１２に表示されている画像との位置関係に基づいて、ユーザの指の動きが示す操作内容を判定する。例えば、操作内容判定部１２１は、操作部１１１が表示画面のアイコンに対するユーザの指の接触操作を検出した場合、当該ユーザ操作が接触操作（タッチ操作）であると判定する。操作部１１１がユーザの指の接触操作によりアイコンが指示されている状態のまま、ユーザの指の移動操作を検出した場合、操作内容判定部１２１は当該ユーザ操作がスライド操作であると判定する。また、操作内容判定部１２１はタイマー１０６によって計時される時間情報に基づいて操作部１１１が受け付けた操作内容を判定する。この操作内容の判定方法については、図７を参照して後述する。【００２０】
操作内容判定部１２１は、判定結果に基づいて操作内容に応じた表示内容を表示するよう表示制御部１２２に指示する。例えば、操作内容がタッチパネル１０１の接触操作である場合、操作内容判定部１２１はユーザの指の接触位置を示すアイコンを操作画面に重畳して表示するよう表示制御部１２２を制御する。操作内容判定部１２１は、例えば、タッチパネル１０１上のユーザの指の接触位置を示す指アイコンを表示する。【００２１】
表示制御部１２２は、操作内容判定部１２１の判定結果に基づいて表示部１１２に表示する表示内容を制御する。この表示制御部１２２は、ロック画面を表示部１１２に表示させるロック画面表示処理と、ロック画面に表示されている表示用アプリケーションの画像を切り替える表示用アプリケーション切替処理とを実行する。ロック画面表示処理は、ロック画面を表示部１１２に表示する処理である。その詳細な処理内容については図９を参照して後述する。表示用アプリケーション切替処理は、ロック画面を表示部１１２に表示している状態において、表示用アプリケーション画像を切り替える操作がなされた場合、ロック画面に表示されている表示用アプリケーション画像を他の表示用アプリケーション画像に変更する。詳細な処理内容については図１０を参照して後述する。【００２２】
ユーザによりスイッチ（不図示）が押されて電源オフ操作がなされた場合、表示制御部１２２は表示部１１２の電源を落として、表示部１１２に画像を表示しない。省電力モードで待機中の状態において、ユーザによりスイッチが押されて電源オン操作がなされた場合、表示制御部１２２は表示部１１２の電源を投入し、ロック画面を表示する（ロック画面表示処理）。ロック画面を表示している状態において、ユーザが操作部１１１に対してロック状態の解除操作を行なった場合、表示制御部１２２は表示内容をロック画面からメニュー画面に切り替えるか、或いは、ロック画面からホーム画面に切り替える。ロック画面を表示している状態において、表示用アプリケーション画像を切り替える操作がなされた場合、ロック画面に表示されている表示用アプリケーション画像を他の表示用アプリケーション画像に変更する（表示用アプリケーション切替処理）。【００２３】
登録部１２３は、無線通信部１０５がインターネット４を介してサーバ５から受信したデータを記憶部１０３に登録する。この登録部１０３は、サーバ５から携帯電話１のロック画面に表示する画像を制御する表示用アプリケーションをダウンロードし、記憶部１０３に登録する。記憶部１０３は、携帯端末１の処理に用いる種々の情報を記憶する。記憶部１０３は、プログラム記憶領域１３１、一次記憶領域１３２、表示情報記憶領域１３３を含む。この記憶部１０３は、例えば、ＳＤカード、ＩＣカード、外付けハードディスクなどの着脱自在な可搬型メモリ（記録メディア）を含む構成としてもよい。また、記憶部１０３は外部サーバ（不図示）上に存在してもよい。【００２４】
プログラム記憶領域１３１は、携帯端末１による各種操作に応じて所定の処理を実現するためのプログラムや各種アプリケーションなどを記憶する記憶領域である。プログラム記憶領域１３１には、表示用アプリケーションａｐｐ１、ａｐｐ２、ａｐｐ３、ａｐｐ４、ａｐｐ５、ａｐｐ６が格納されている。表示用アプリケーションａｐｐ１乃至ａｐｐ６にはそれぞれを識別するための固有の識別情報（以下、「アプリケーションＩＤ」と称する）が割り当てられている。【００２５】
表示用アプリケーションaｐｐ１は、現在の位置に応じた方位を示す方位磁針画像ｓｃｒ１を表示部１１２に表示させるためのアプリケーションである。表示用アプリケーションaｐｐ１（或いは、方位磁針アプリケーションａｐｐ１）にはアプリケーションＩＤ「Ａ００１」が割り当てられている。表示用アプリケーションａｐｐ２は、現在の時刻を示す時計画像ｓｃｒ２を表示部１１２に表示させるためのアプリケーションである。表示用アプリケーションaｐｐ２（或いは、時計アプリケーションａｐｐ２）にはアプリケーションＩＤ「Ａ００２」が割り当てられている。表示用アプリケーションaｐｐ３は、カレンダー画像ｓｃｒ３を表示部１１２に表示させるためのアプリケーションである。表示用アプリケーションaｐｐ３（或いは、カレンダーアプリケーションａｐｐ３）にはアプリケーションＩＤ「Ａ００３」が割り当てられる。表示用アプリケーションａｐｐ４は、インターネット上で公開されているニュース情報のトピックを示すニュース画像ｓｃｒ４を表示部１１２に表示させるためのアプリケーションである。表示用アプリケーションaｐｐ５は、現在の気圧を示す気圧表示画像ｓｃｒ５を表示部１１２に表示させるためのアプリケーションである。表示用アプリケーションaｐｐ６は、現在の気温を示す気温表示画像ｓｃｒ６を表示部１１２に表示させるためのアプリケーションである。表示用アプリケーションaｐｐ４、ａｐｐ５、ａｐｐ６にはアプリケーションＩＤ「Ａ００４」、「Ａ００５」、「Ａ００６」が割り当てられている。【００２６】
一時記憶領域１３２は、携帯端末１が動作するために必要な各種の情報を一時的に記憶する記憶領域である。この一時記憶領域１３２には、例えば、フラグ情報、タイマー情報、表示部１１２に表示させるための画像情報など、携帯端末１が動作すするために必要な各種情報を一時的に記憶する記憶領域である。尚、フラグ情報とは、ロック画面において表示用アプリケーション画像を表示させている表示用アプリケーションを示す情報である。表示用アプリケーション切替処理において表示用アプリケーション画像を変更した場合、登録部１２３は変更後の表示用アプリケーション画像において表示用アプリケーションを示す情報をフラグ情報として一時記憶領域１３２に書き込む。タイマー情報とは、タイマー１０６によって計時された時間を示す情報である。【００２７】
表示情報記憶領域１３３は、プログラム記憶領域１３１に記憶されている表示用アプリケーションａｐｐ１乃至ａｐｐ６のうち、起動時の表示用アプリケーションとして確定しているものを示す情報を格納する。尚、起動時の表示用アプリケーションとは、ロック画面表示処理において、初期設定時の表示用アプリケーション画像として予め決定されている表示用アプリケーションと、表示用アプリケーション切替処理においてユーザ操作に基づき確定した表示用アプリケーションである。表示情報記憶領域１３３は、起動時の表示用アプリケーションを示す情報として、図３に示すような表示用アプリケーション起動情報１３４を記憶する。図３は、初期設定時の表示用アプリケーション画像として予め決定されている表示用アプリケーションを示す。【００２８】
図３に示すように、表示用アプリケーション起動情報１３４は表示用アプリケーションａｐｐ１乃至ａｐｐ６に示す情報（即ち、アプリケーションＩＤと表示用アプリケーションの名称）と、表示フラグとを対応付けたテーブルである。ロック画面表示処理における初期設定時の表示用アプリケーション画像として予め決められている表示用アプリケーションには表示フラグ「１」が対応付けられている。つまり、表示フラグ「０」が対応付けられている表示用アプリケーションは、ロック画面表示処理における初期設定時の表示用アプリケーション画像として予め決められている表示用アプリケーションではないことを意味する。尚、表示用アプリケーションａｐｐ１乃至ａｐｐ６を示す情報は、アプリケーションＩＤ或いは表示用アプリケーションの名称のうちいずれか１つを示すものであってもよい。図３では、方位磁針アプリケーションａｐｐ１のアプリケーションＩＤ「Ａ００１」に対して、表示フラグ「１」が対応付けられている。また、表示用アプリケーション起動情報１３４では、表示用アプリケーション切替処理において表示用アプリケーション画像が切り替えられて表示用アプリケーション画像の確定を指示する操作がなされた場合、表示フラグが書き換えられる。例えば、表示用アプリケーション画像の確定を指示する操作がなされた際にロック画面に表示されている表示用アプリケーション画像の表示用アプリケーションに対して表示フラグ「１」が対応付けられている。【００２９】
音声信号処理部１０４は、マイクロフォンＭＣとスピーカＳＫとを具備し、マイクロフォンＭＣからアナログ音声信号を入力すると、当該アナログ音声信号をＡ／Ｄ変換してデジタル音声データを表示制御部１２２に出力する。音声信号処理部１０４は、表示制御部１２２からデジタル音声データを入力すると、当該デジタル音声データをＡ／Ｄ変換してアナログ音声信号をスピーカＳＫに出力する。【００３０】
無線通信部１０５は、通話機能、電子メール機能、インターネット接続機能などの動作時に、アンテナを介して最寄の基地局２Ａとの間でデータ送受信を行なう。タイマー１０６は、一定の時間間隔毎にクロック信号を出力する。検出部１０７は、位置検出部１７１と温度計１７２とを具備する。位置検出部１７１は、ＧＰＳ（Ｇｌｏｂａｌ  Ｐｏｓｉｔｉｏｎｉｎｇ  Ｓｙｓｔｅｍ）受信機を具備し、携帯端末１の現在の位置を検出して、その現在位置を制御部１０２に出力する。温度計１７２は、携帯端末１の周囲の温度を検出して、その周囲温度を制御部１０２に出力する。【００３１】
次に、図４乃至図７を参照して、携帯端末１の動作について説明する。初めに、ロック画面表示処理が実行されると、表示制御部１２２はロック画面に初期設定時の表示用アプリケーション画像を表示する。図３に示すように、方位磁針アプリケーションａｐｐ１が初期設定時の表示用アプリケーション画像であると決められている。従って、表示制御部１２２は表示部１１２に方位磁針画像ｓｃｒ１を表示する。図４は、ロック画面表示処理後におけるロック画面の一例であり、方位磁針画像ｓｃｒ１が表示されている。【００３２】
図４に示すように、携帯端末１の表示部１１２に表示されるロック画面には、第１表示領域Ｒ１と、第２表示領域Ｒ２と、第３表示領域Ｒ３と、第４表示領域Ｒ４とが含まれる。第１表示領域Ｒ１は、表示用アプリケーション画像を表示する領域である。第２表示領域Ｒ２は、初期位置にあるロック解除アイコンＱ１を表示する領域である。第３表示領域Ｒ３は、ロック解除アイコンＱ１の最終位置を示すエンドマークＱ２を表示する領域である。第４表示領域Ｒ４は、ロック解除アイコンＱ１が移動するスライドバーＱ３を表示する領域である。操作内容判定部１２１は、ロック状態において第２表示領域Ｒ２と、第３表示領域Ｒ３と、第４表示領域Ｒ４に対してなされた操作を受け付ける。つまり、ロック状態において第１表示領域Ｒ１に対する操作が制限されており、操作内容判定部１２１は第１表示領域Ｒ１に対してなされる操作を受け付けない。ここでは、第２表示領域Ｒ２と、第３表示領域Ｒ３と、第４表示領域Ｒ４とがロック状態における操作画面に相当する。【００３３】
次に、図５を参照して図４に示すロック画面に対するユーザ操作の一例について説明する。図５は、ロック画面においてユーザが指でロック解除アイコンＱ１を移動させるスライド操作の手順を示す。ユーザが指でロック画面においてロック解除アイコンＱ１に接触すると、図５（ａ）に示すように、ロック解除アイコンＱ１上には丸型の指アイコンＱ４が表示される。その後、ユーザはタッチパネル１０１の表示面に指を接触させたまま、エンドマークＱ２に向かって指を移動すると、図５（ｂ）に示すように、ロック画面のスライドバーＱ３上には進行方向を示す矢印形の指アイコンＱ４が表示される。尚、ロック解除アイコンＱ１はユーザの指の動きに連動して移動する。次に、ユーザがタッチパネル１０１の表示面に指を接触させたまま、エンドマークＱ２まで更に指を移動させると、図５（ｃ）に示すように、指アイコンＱ４はエンドマークＱ２上に重なる。このように、ユーザがエンドマークＱ２まで指を移動させた後、指の動きを止めると、図５（ｄ）に示すように、矢印型の指アイコンＱ４が丸型に変化してロック画面のエンドマークＱ２上に表示される。【００３４】
次に、図６を参照して図５に示すユーザの指によるスライド操作に引き続くユーザ操作について説明する。ユーザは、ロック解除アイコンＱ１をエンドマークＱ２まで移動させた状態で指をタッチパネル１０１の表示面から離さず一定時間以上接触状態を維持すると、表示用アプリケーション切替処理が実行されて、図６（ａ）に示すように、ロック画面において表示用アプリケーション画像が方位磁針画像ｓｃｒ１から時計画像ｓｃｒ２に切り替わる。ユーザがタッチパネル１０１の表示面から指を離さず更に一定時間以上接触状態を維持すると、表示用アプリケーション切替処理が再び実行されて、図６（ｂ）に示すように、ロック画面における表示用アプリケーション画像が時計画像ｓｃｒ２からカレンダー画像ｓｃｒ３に切り替わる。その後、ユーザが指をタッチパネル１０１の表示面から離すと、携帯端末１はカレンダー画像ｓｃｒ３を表示用アプリケーション画像として確定する操作を受け付ける。従って、ユーザが指をタッチパネル１０１の表示面から離した場合でも、図６（ｃ）に示すように、カレンダー画像ｓｃｒ３がロック画面における表示用アプリケーション画像として表示され続ける。図６（ｃ）に示すように、ロック解除アイコンＱ１は第２表示領域Ｒ２に戻る。【００３５】
次に、図７を参照して図５及び図６で説明したユーザ操作に応答する携帯端末１の動作について時系列に説明する。図７は、図５及び図６で説明したユーザ操作に応答する携帯端末１の表示用アプリケーション画像切替処理の時系列シーケンス図である。携帯端末１においてロック画面表示処理が実行されると、表示制御部１２２は初期設定時の表示用アプリケーション画像である方位磁針画像ｓｃｒ１（図４参照）を表示部１１２に表示する。図５（ａ）に示すように、ユーザが指で第２表示部Ｒ２に接触すると、操作内容判定部１２１はその接触操作を検出する。次いで、図５（ｂ）に示した通り、ユーザが指でロック解除アイコンＱ１を移動操作すると、操作内容判定部１２１はそのスライド操作を検出する。操作内容判定部１２１は、検出したスライド操作がロック解除を指示するものであるか否かを判定する。操作内容判定部１２１は、ユーザが指でロック解除アイコンＱ１をエンドマークＱ２までスライド操作した後、ロック解除アイコンＱ１の接触状態を一定時間以上維持したか否かを判定する（図５（ｃ）、（ｄ）参照）。ロック解除を指示するユーザ操作が行なわれたか否かの判定を行なうための一定時間として、予め決められている時間長のロック解除判定時間Ｔ１が記憶部１０３に登録されている。このロック解除判定時間Ｔ１は、例えば、３秒である。【００３６】
ユーザによるスライド操作を検出した時刻（ｔ００１）からロック解除判定時間Ｔ１が経過する前の所定時刻（ｔ００２）に、操作内容判定部１２１がユーザによる接触操作が解除されたと判定すると、制御部１０２はロック状態を解除する。一方、ユーザによるスライド操作を検出した時刻（ｔ００１）からロック解除判定時間Ｔ１が経過した時刻（ｔ００３）においてもユーザによる接触操作が継続している場合、つまり、操作内容判定部１２１によりロック解除時間Ｔ１内にユーザの接触操作が解除されていないと判定されると、表示制御部１２２はロック解除判定時間Ｔ１が経過した時刻（ｔ００３）に表示用アプリケーション切替処理を実行する。これにより、図６（ａ）に示したとおり、表示制御部１２２はロック画面における表示用アプリケーション画像を方位磁針画像ｓｃｒ１から時計画像ｓｃｒ２に切り替える。【００３７】
次に、操作内容判定部１２１はユーザによるロック解除アイコンＱ１の接触状態が一定時間以上経過したか否かを判定する。再度、表示用アプリケーション切替処理の実行を判定する一定時間として、予め決められている時間長の切替時間Ｔ２が記憶部１０３に登録されている。この切替時間Ｔ２は、例えば、２秒である。表示用アプリケーション切替処理の実行時刻（ｔ００３）から切替時間Ｔ２が経過した時刻（ｔ００４）においてもユーザによる接触操作が継続している場合、つまり、操作内容判定部１２１により切替時間Ｔ２内に接触操作が解除されていないと判定されると、表示制御部１２２は切替時間Ｔ２が経過した時刻（ｔ００４）において再度表示用アプリケーション切替処理を実行する。これにより、図６（ｂ）に示したとおり、表示制御部１２２はロック画面における表示用アプリケーション画像を時計画像ｓｃｒ２からカレンダー画像ｓｃｒ３に切り替える。【００３８】
更に、表示用アプリケーション切替処理の実行時刻（ｔ００４）から切替時間Ｔ２が経過する前の時刻（ｔ００５）において、ユーザの接触操作が解除されると、操作内容判定部１２１は時刻（ｔ００５）においてタッチパネル１０１に表示されている画像を表示用アプリケーション画像として確定する操作を受けたと判定する。これにより、図６（ｃ）に示したとおり、操作内容判定部１２１は表示用アプリケーション画像の確定操作を受け付け、表示部１１２はカレンダー画像ｓｃｒ３を表示し続ける。登録部１２３は、ユーザの接触操作が解除された際に表示用アプリケーション画像として表示されていたカレンダー画像ｓｃｒ３が確定されたことを示す情報を記憶部１０３に書き込む。例えば、登録部１２３の表示用アプリケーション起動情報１３４において、方位磁針アプリケーションａｐｐ１を示すアプリケーションＩＤ「Ａ００１」の表示フラグが「１」から「０」に書き換えられるとともに、カレンダーアプリケーションａｐｐ３を示すアプリケーションＩＤ「Ａ００３」に関連付けられたフラグ情報が「１」に設定される。【００３９】
次に、図８乃至図１０を参照して携帯端末１の処理の一例について説明する。先ず、図８を参照して、携帯端末１の基本的な処理について説明する。
（ステップＳＴ１）
初めに、携帯端末１はロック画面表示処理を実行して図４に示すようなロック画面を表示部１１２に表示する。つまり、表示部１１２はロック画面の初期設定時の表示用アプリケーション画像として予め決められた方位磁針アプリケーションａｐｐ１の方位磁針画像ｓｃｒ１を第１表示領域Ｒ１に表示する。また、表示部１１２はロック解除アイコンＱ１を第２表示領域Ｒ２に表示し、エンドマークＱ２を第３表示領域Ｒ３に表示する。
（ステップＳＴ２）
操作内容判定部１２１は、操作部１１１の出力に基づき、第２表示領域Ｒ２のロック解除アイコンＱ１に対するユーザによる接触操作が検出されたか否かを判定する。操作内容判定部１２１は、ロック解除アイコンＱ１に対するユーザによる接触操作が検出されるまで、ステップＳＴ２の判定を繰り返す。
（ステップＳＴ３）
ロック解除アイコンＱ１に対するユーザによる接触操作が検出された場合、操作内容判定部１２１は操作部１１１からの出力に基づき、ユーザによる接触操作が維持されたまま、ロック解除アイコンＱ１を第３表示領域Ｒ３のエンドマークＱ２まで移動するスライド操作が検出されたか否かを判定する。操作内容判定部１２１は、ロック解除アイコンＱ１に対するユーザによる接触操作が検出された場合、ロック解除アイコンＱ１をエンドマークＱ２まで移動させるスライド操作が検出されるまで、ステップＳＴ３の判定を繰り返す。
（ステップＳＴ４）
ロック解除アイコンＱ１をエンドマークＱ２まで移動させるスライド操作が検出された場合、操作内容判定部１２１はタイマー１０６によって計時される時間に基づき、ロック解除アイコンＱ１をエンドマークＱ２まで移動させるスライド操作が検出された時刻からの経過時間をカウントする。制御部１０２は、この経過時間をカウントアップしたタイマー情報を一時記憶領域１３２に書き込む。
（ステップＳＴ５）
操作内容判定部１２１は、ロック解除操作がなされたか否かを判定する。即ち、操作内容判定部１２１は予め決められたロック解除判定時間Ｔ１以内にロック解除アイコンＱ１に対するユーザの接触操作が解除されたか否かを判定する。具体的には、操作内容判定部１２１は操作部１１１からの出力に基づき、ロック解除アイコンＱ１をエンドマークＱ２まで移動させるスライド操作が検出された時刻（ｔ００１）からロック解除判定時間Ｔ１が経過する前の時刻（ｔ００２）において、ユーザの指がタッチパネル１０１上の表示画面から離されたか否かを判定する。
（ステップＳＴ６）
スライド操作検出時刻（ｔ００１）からロック解除判定時間Ｔ１が経過する前の時刻（ｔ００２）においてユーザの指がタッチパネル１０１の表示画面から離された場合、操作内容判定部１２１はロック解除操作がなされたと判定する。
（ステップＳＴ７）
表示制御部１２２は、ロック解除操作がなされた場合に記憶部１０３を参照して、ロック解除操作に際して予め決められた画面を表示部１１２に表示する。表示制御部１２２は、ホーム画面やメニュー画面を表示部１１２に表示する。その後、制御部１０２はロック状態を解除して、ロック解除状態となる。
（ステップＳＴ８）
ステップＳＴ５において、ユーザの指がタッチパネル１０１の表示画面から離されていない場合、つまり、ロック解除アイコンＱ１に対するユーザによる接触操作が解除されていない場合、操作内容判定部１２１はロック解除判定時間Ｔ１が経過したか否かを判定する。ここで、操作内容判定部１２１によりロック解除判定時間Ｔ１が経過していないと判定された場合、フローはステップＳＴ５に戻る。
（ステップＳＴ９）
ステップＳＴ８において、ロック解除アイコンＱ１のスライド操作が検出された時刻（ｔ００１）からロック解除判定時間Ｔ１が経過した時刻（ｔ００３）、操作内容判定部１２１はロック画面に表示されている表示用アプリケーション画像の変更を指示する表示用アプリケーション切替操作がなされたと判定する。
（ステップＳＴ１０）
その後、表示切替部１２４は表示用アプリケーション切替処理を実行する。これにより、ロック画面に表示されている表示用アプリケーション画像が、初期設定時の方位磁針アプリケーションａｐｐ１の方位磁針画像ｓｃｒ１から、他の表示用アプリケーション（ａｐｐ２、ａｐｐ３、等）の表示画像に切り替えられる。【００４０】
ステップＳＴ１０の表示用アプリケーション切替処理が実行された後、フローはステップＳＴ２に戻って、ロック状態のままステップＳＴ２以降の処理を継続してもよい。或いは、ステップＳＴ１０の後、フローはステップＳＴ７に戻って、ロック状態を解除してもよい。【００４１】
次に、図９を参照して、ロック画面表示処理の一例について説明する。
（ステップＳＴ２１）
携帯端末１は、操作部１１１を介してロック画面の表示指示を受け付ける。例えば、省電力モードで待機中の状態において、電源スイッチ（不図示）が押された場合、操作内容判定部１２１はロック画面の表示指示を受け付けたと判定する。操作内容判定部１２１は、ロック画面の表示操作を受け付けたことを示す情報を表示制御部１２２に出力する。
（ステップＳＴ２２）
表示制御部１２２は、記憶部１０３の表示用アプリケーション起動情報１３４を参照して、表示フラグ「１」となっている表示用アプリケーションを検索する。図３では、方位磁針アプリケーションａｐｐ１のアプリケーションＩＤ「Ａ００１」について表示フラグ「１」に設定されている。このため、表示制御部１２２は、方位磁針アプリケーションａｐｐ１を起動する。
（ステップＳＴ２３）
表示制御部１２２は、方位磁針アプリケーションａｐｐ１の方位磁針画像ｓｃｒ１を表示部１１２の第１表示領域Ｒ１に表示する。登録部１２３は、一時記憶領域１３２のフラグ情報を書き換える。登録部１２３は、フラグ情報として、直近で起動した表示用アプリケーションを示す情報を書き込む。つまり、登録部１２３は方位磁針アプリケーションａｐｐ１のアプリケーションＩＤ「Ａ００１」をフラグ情報として書き込む。
（ステップＳＴ２４）
表示制御部１２２は、第２表示領域Ｒ２にロック解除アイコンＱ１を表示する。
（ステップＳＴ２５）
表示制御部１２２は、第３表示領域Ｒ３にエンドマークＱ２を表示する。【００４２】
このように、表示制御部１２２がロック画面表示処理を実行すると、表示部１１２はロック画面の初期設定時の表示用アプリケーション画像として予め決められた方位磁針アプリケーションａｐｐ１の方位磁針画像ｓｃｒ１を第１表示領域Ｒ１に表示するとともに、第２表示領域Ｒ２にロック解除アイコンＱ１を第３表示領域Ｒ３にエンドマークＱ２を表示する。【００４３】
次に、図１０を参照して、携帯端末１による表示用アプリケーション切替処理の一例について説明する。
（ステップＳＴ３１）
携帯端末１は、表示用アプリケーション切替操作がなされたと操作内容判定部１２１により判定された場合（例えば、図８のステップＳＴ９）、表示制御部１２２は一時記憶領域１３２を参照して、フラグ情報として記憶されている表示用アプリケーションを検出する。図９のステップＳＴ２３において一時記憶領域１３２のフラグ情報として、方位磁針アプリケーションａｐｐ１のアプリケーションＩＤ「Ａ００１」が書き込まれている。表示制御部１２２は、表示アプリケーション起動情報１３４を参照して、アプリケーションＩＤ「Ａ００１」の方位磁針アプリケーションａｐｐ１の時計アプリケーションａｐｐ２を起動する。表示制御部１２２は、時計アプリケーションａｐｐ２の時計画像ｓｃｒ２を表示部１１２の第１表示領域Ｒ１に表示する。ここでは、第２表示領域Ｒ２と第３表示領域Ｒ３の表示内容は変更されない。つまり、表示部１１２は時計アプリケーションａｐｐ２の時計画像ｓｃｒ２を第１表示領域Ｒ１に表示するとともに、第２表示領域Ｒ２にロック解除アイコンＱ１を表示し、第３表示領域Ｒ３にエンドマークＱ３を表示する。登録部１２３は、一時記憶領域１３２のフラグ情報を書き換える。例えば、登録部１２３はフラグ情報として直近で起動した時計アプリケーションａｐｐ２を示す情報を書き込む。つまり、登録部１２３は時計アプリケーションａｐｐ２のアプリケーションＩＤ「Ａ００２」をフラグ情報として書き込む。
（ステップＳＴ３２）
操作内容判定部１２１は、ステップＳＴ３１においてロック状態における表示用アプリケーション画像を切り替えた時刻（ｔ００３）から切替時間Ｔ２が経過したか否かを判定する。
（ステップＳＴ３３）
時刻（ｔ００３）から切替時間Ｔ２が経過した時刻（ｔ００４）において、操作内容判定部１２１はロック画面に表示されている表示用アプリケーション画像を変更する表示用アプリケーション切替操作がなされたと判定する。
（ステップＳＴ３４）
操作内容判定部１２１が表示用アプリケーション切替操作がなされたと判定した場合、表示制御部１２２は記憶部１０３の一時記憶領域１３２を参照して、フラグ情報として記憶されている表示用アプリケーションを検索する。ステップＳＴ３１において一時記憶領域１３２のフラグ情報が書き換えられており、時計アプリケーションａｐｐ２のアプリケーションＩＤ「Ａ００２」がフラグ情報として記憶されている。このため、表示制御部１２２は表示用アプリケーション起動情報１３４を参照して、時計アプリケーションａｐｐ２のアプリケーションＩＤ「Ａ００２」の次の順位のカレンダーアプリケーションａｐｐ３を起動する。表示制御部１２２は、カレンダーアプリケーションａｐｐ３のカレンダー画像ｓｃｒ３を表示部１１２の第１表示領域Ｒ１に表示する。ここでは、第２表示領域Ｒ２と第３表示領域Ｒ３の表示内容は変更されない。つまり、表示部１１２はカレンダーアプリケーションａｐｐ３のカレンダー画像ｓｃｒ３を第１表示領域Ｒ１に表示するとともに、第２表示領域Ｒ２にロック解除アイコンＱ１を表示し、第３表示領域Ｒ３にエンドマークＱ２を表示する。その後、登録部１２３は一時記憶領域１３２のフラグ情報を書き換える。例えば、登録部１２３はフラグ情報として直近で起動した表示用アプリケーションを示す情報を書き込む。つまり、登録部１２３はカレンダーアプリケーションａｐｐ３のアプリケーションＩＤ「Ａ００３」をフラグ情報として書き込む。
（ステップＳＴ３５）
ステップＳＴ３２の判定結果が「ＮＯ」の場合、操作内容判定部１２１はロック解除アイコンＱ１に対するユーザの接触操作が解除されたか否かを判定する。例えば、表示用アプリケーション切替処理を実行して表示用アプリケーション画像を切り替えた時刻（ｔ００４）から切替時間Ｔ２が経過する前の時刻（ｔ００５）において、操作内容判定部１２１はユーザの指がタッチパネル１０１の表示画面から離されたか否かを判定する。
（ステップＳＴ３６）
表示用アプリケーション切替処理により表示用アプリケーション画像を切り替えた時刻（ｔ００４）から切替時間Ｔ２が経過する前の時刻（ｔ００５）にユーザの指がタッチパネル１０１の表示画面から離された場合、操作内容判定部１２１はユーザ操作が解除されたことを検出し、表示用アプリケーション切替処理を終了する。つまり、操作内容判定部１２１はユーザから表示用アプリケーション画像を確定する指示を受け付けたと判定して、ロック画面に表示される表示用アプリケーション画像の切替処理を終了し、現時点において表示されている画像をロック画面用の表示用アプリケーション画像として確定する。登録部１２３は、表示用アプリケーション起動情報１３４において、表示用アプリケーションのアプリケーションＩＤの表示フラグを「１」から「０」に書き換える。登録部１２３は、一時記憶領域１３２のフラグ情報として記憶されている表示用アプリケーションのアプリケーションＩＤの表示フラグを「１」に書き換える。つまり、登録部１２３は表示用アプリケーション起動情報１３４において、方位磁針アプリケーションａｐｐ１のアプリケーションＩＤ「Ａ００１」の表示フラグを「１」から「０」に書き換える。また、登録部１２３は一時記憶領域１３２のフラグ情報として記憶されているカレンダーアプリケーションａｐｐ３のアプリケーションＩＤ「Ａ００３」の表示フラグを「１」に書き換える。【００４４】
このように、携帯端末１はロック状態においてロック解除操作を別個の操作として行なうことなく、ロック画面に表示されている表示用アプリケーション画像の表示内容を変更することができる。従って、携帯端末１に対するユーザの操作性を向上することができる。また、表示用アプリケーション切替処理を終了した後、ロック状態を解除するように設定した場合、表示用アプリケーション切替操作を実行することにより、ロック状態の解除を指示することができる。これにより、携帯端末１に対するユーザの操作性を更に向上することができる。【００４５】
また、携帯端末１はロック解除アイコンＱ１を操作することにより、ロック解除操作を行なうことができるとともに、表示切替操作を行なうこともできる。これにより、ユーザはロック解除アイコンＱ１への所定の操作（但し、ロック解除操作以外の操作）を行なうことにより、ロック画面に表示されている表示用アプリケーションを容易に切り替えることができる。ロック画面では、ユーザによる誤操作をできるだけ防止するために、限定された表示領域でしか有効とされない操作が多く存在する。また、ロック解除アイコンＱ１周辺の表示領域は有効になっている。有効になっている表示領域への操作を利用して、表示用アプリケーションを切り替えることで、誤操作の可能性が高まることなく、表示用アプリケーションを切り替えることができる。【００４６】
携帯端末１では、ロック解除アイコンＱ１をロック解除位置であるエンドマークＱ２まで移動した状態において、ユーザがタッチパネル１０１への接触状態を継続した場合、表示用アプリケーション切替操作がなされたと判定する。これにより、ユーザはロック解除操作と同じように、第２表示領域Ｒ２のロック解除アイコンＱ１を第３表示領域Ｒ３へ移動操作する。一方、ロック解除操作とは異なり、第３表示領域Ｒ３においてロック解除アイコンＱ１を所定時間維持することにより、ロック画面に表示されている表示用アプリケーション画像を容易に切り替えることができる。このように、ロック解除操作とは似ているが異なる操作を表示用アプリケーション切替操作としているので、ロック解除操作で使用される表示領域と同じ表示領域を利用することができるとともに、操作を有効とする表示領域を限定することができ、ユーザによる誤操作を防止することができる。この操作はロック解除操作と似ているので、ユーザは異なる系統の操作を改めて覚える必要はない。【００４７】
実施例１に係る携帯端末１の処理を一部変更して、図１１に示す表示用アプリケーション切替処理を適用してもよい。図１１の表示用アプリケーション切替処理において、ステップＳＴ３１乃至ＳＴ３４は図１０の表示用アプリケーション切替処理と同一であるが、ステップＳＴ３５及びＳＴ３６をステップＳＴ３５１及びＳＴ３６１に変更するものである。このため、ステップＳＴ３５１及びＳＴ３６１について下記に説明する。【００４８】
（ステップＳ３５１）
ステップＳＴ３２の判定結果が「ＮＯ」となった場合、即ち、表示用アプリケーション切替処理により表示用アプリケーション画像を切り替えた時刻（ｔ００３）から切替時間Ｔ２が経過する前の時刻（ｔ００４）において、操作内容判定部１２１はロック解除アイコンＱ１が初期位置である第２表示領域Ｒ２まで移動されたか否かを判定する。つまり、表示用アプリケーション切替処理を行なう際、操作内容判定部１２１はユーザのスライド操作により第２表示領域Ｒ２から第３表示領域Ｒ３まで移動されたロック解除アイコンＱ１が再び第３表示領域Ｒ３から第２表示領域Ｒ２まで戻されたか否かを判定する。
（ステップＳＴ３６１）
表示用アプリケーション切替処理により表示用アプリケーション画像を切り替えた時刻（ｔ００３）から切替時間Ｔ２が経過する前にロック解除アイコンＱ１が第３表示領域Ｒ３から第２表示領域Ｒ２まで戻された場合、操作内容判定部１２１は表示用アプリケーション画像を確定する。つまり、操作内容判定部１２１はユーザから表示用アプリケーション画像を確定する指示を受け付けたと判定して、ロック画面に表示される表示用アプリケーション画像の切替処理を終了し、現時点で表示されている画像をロック画面用の表示用アプリケーション画像として確定する。登録部１２３は、表示用アプリケーション起動情報１３４において、表示用アプリケーションのアプリケーションＩＤの表示フラグを「１」から「０」に書き換える。登録部１２３は、一時記憶領域１３２のフラグ情報として記憶されている表示用アプリケーションのアプリケーションＩＤの表示フラグを「１」に書き換える。
【実施例２】
【００４９】
次に、図１２乃至図１６を参照して、本発明の実施例２に係る携帯端末１について詳細に説明する。尚、実施例２に係る携帯端末１１は実施例１に係る携帯端末１と同様の構成を有する。図１２乃至図１４を参照して実施例２に係る携帯端末１１の動作について説明する。
先ず、ロック画面表示処理が実行されると、表示制御部１２２はロック画面に初期設定時の表示用アプリケーション画像を表示する。実施例２に係る携帯端末１１においても、図３に示すとおり方位磁針アプリケーションａｐｐ１が初期設定時の表示用アプリケーション画像として決められている。表示制御部１２２は、図１２に示す方位磁針画像ｓｃｒ１を表示部１１２に表示する。【００５０】
図１２に示すとおり、携帯端末１１の表示部１１２に表示されるロック画面は、第１表示領域Ｒ１と、第２表示領域Ｒ２と、第３表示領域Ｒ３と、第４表示領域Ｒ４とを含む。第４表示領域Ｒ４は、ロック解除アイコンＱ１が移動するスライドバーＱ３を表示する領域である。このスライドバーＱ３の長手方向の中間位置には表示切替マークＱ４が設けられている。ロック状態において、操作内容判定部１２１は第２表示領域Ｒ２と、第３表示領域Ｒ３と、第４表示領域Ｒ４に対してなされたユーザ操作を受け付ける。ロック状態においては、第１表示領域Ｒ１に対する操作が制限されており、操作内容判定部１２１は第１表示領域Ｒ１に対するユーザ操作を受け付けない。つまり、ロック状態において、第２表示領域Ｒ２と、第３表示領域Ｒ３と、第４表示領域Ｒ４においてユーザ操作を受け付けることができる。【００５１】
図１３を参照して、図１２に示すロック画面に対するユーザ操作の一例を説明する。図１３は、ロック画面においてロック解除アイコンＱ１を移動させるスライド操作がなされた場合の画面の一例をしめす。ロック画面において、ユーザがロック解除アイコンＱ１に指を接触させると、ロック解除アイコンＱ１上には図１３（ａ）に示す丸型の指アイコンＱ４が表示される。その後、ユーザがタッチパネル１０１の表示面に指を接触させたまま表示切替マークＱ５に向かって移動させた後、図１３（ｂ）に示すように指の動きを止める。【００５２】
次に、図１４を参照して、図１３に示すユーザの指によるスライド操作に引き続く操作について説明する。ユーザは、ロック解除アイコンＱ１を表示切替マークＱ５まで移動させた状態で指をタッチパネル１０１の表示面から離さず、ロック解除アイコンＱ１に一定時間（即ち、ロック解除判定時間Ｔ１）以上接触し続けると、表示用アプリケーション切替処理が実行され、ロック画面における表示用アプリケーション画像が図１４（ａ）に示すように方位磁針画像ｓｃｒ１から時計画像ｓｃｒ２に切り替えられる。更に、ユーザはタッチパネル１０１の表示面から指を離さず、ロック解除アイコンＱ１に一定時間（切替時間Ｔ２）以上接触し続けると、表示用アプリケーション切替処理が実行され、ロック画面における表示用アプリケーション画像が図１４（ｂ）に示すように時計画像ｓｃｒ２からカレンダー画像ｓｃｒ３に切り替えられる。その後、ユーザがタッチパネル１０１上の表示面から指を離すと、携帯端末１１はカレンダー画像ｓｃｒ３を表示用アプリケーション画像として確定する操作を受け付ける。これにより、ユーザがタッチパネル１０１の表示面から指を離した場合でも、図１４（ｃ）に示すようにカレンダー画像ｓｃｒ３がロック画面における表示用アプリケーション画像として表示され続ける。このとき、ロック解除アイコンＱ１は第２表示領域Ｒ２に戻る。【００５３】
次に、図１５及び図１６を参照して、実施例２に係る携帯端末１１の処理について詳細に説明する。先ず、図１５を参照して、携帯端末１１の基本的な処理について説明する。
（ステップＳＴ４１）
初めに、携帯端末１１はロック画面表示処理を実行して、図１２に示すようなロック画面を表示部１１２に表示する。つまり、表示部１１２はロック画面の初期設定時の表示用アプリケーション画像として予め決められた方位磁針アプリケーションａｐｐ１の方位磁針画像ｓｃｒ１を第１表示領域Ｒ１に表示する。また、表示部１１２は第２表示領域Ｒ２にロック解除アイコンＱ１を表示し、第３表示領域Ｒ３にエンドマークＱ２を表示し、第４表示領域Ｒ４にスライドバーＱ３と表示切替マークＱ５とを表示する。
（ステップＳＴ４２）
操作内容判定部１２１は、操作部１１１からの出力に基づき、第２表示領域Ｒ２のロック解除アイコンＱ１に対するユーザの接触操作が検出されたか否かを判定する。操作内容判定部１２１は、ロック解除アイコンＱ１に対するユーザの接触操作が検出されるまで、ステップＳＴ４２の判定を繰り返す。
（ステップＳＴ４３）
ロック解除アイコンＱ１に対するユーザの接触操作が検出された場合、操作内容判定部１２１は操作部１１１からの出力に基づき、ユーザが指でロック解除アイコンＱ１に接触したまま第４表示領域Ｒ４の表示切替マークＱ５まで移動するスライド操作を検出したか否かを判定する。ロック解除アイコンＱ１のユーザの接触操作が検出されてからロック解除アイコンＱ１を表示切替マークＱ５まで移動するスライド操作が検出されるまで、操作内容判定部１２１はステップＳＴ４３の判定を繰り返す。
（ステップＳＴ４４）
ロック解除アイコンＱ１を表示切替マークＱ５まで移動させるユーザのスライド操作が検出された場合、操作内容判定部１２１は、タイマー１０６によって計時される時間に基づき、ユーザのスライド操作検出時からの経過時間をカウントする。この経過時間はカウントアップされて、タイマー情報として、制御部１０２により一時記憶領域１３２に書き込まれる。
（ステップＳＴ４５）
次に、操作内容判定部１２１は操作部１１１からの出力に基づき、ユーザがロック解除アイコンＱ１に接触操作したまま第３表示領域Ｒ３のエンドマークＱ２まで移動するスライド操作を検出したか否かを判定する。
（ステップＳＴ４６）
操作内容判定部１２１は、ロック解除アイコンＱ１に対するユーザの接触操作を維持したまま第３表示領域Ｒ３のエンドマークＱ２まで移動するスライド操作が検出された後、ユーザがロック解除操作を行なったか否かを判定する。操作内容判定部１２１は、ロック解除アイコンＱ１に対するユーザの接触操作が解除されたか否かを判定する。具体的には、操作内容判定部１２１は、操作部１１１からの出力に基づき、ロック解除アイコンＱ１をエンドマークＱ２まで移動させるユーザのスライド操作を検出した後に、ユーザが指をタッチパネル１０１の表示画面から離されたか否かを判定する。
（ステップＳＴ４７）
ユーザがエンドマークＱ２においてタッチパネル１０１の表示面から指を離した場合、操作内容判定部１２１はユーザによるロック解除操作がなされたと判定する。
（ステップＳＴ４８）
ユーザによりロック解除操作がなされた場合、表示制御１２２は記憶部１０３を参照して、ロック状態解除時において所定の画面を表示部１１２に表示する。表示制御部１２２は、ホーム画面やメニュー画面を表示部１１２に表示する。その後、制御部１０２はロック解除状態となる。
（ステップＳＴ４９）
ステップＳＴ４５において、ユーザの接触操作がなされたロック解除アイコンＱ１が第３表示領域Ｒ３のエンドマークＱ２まで移動されない場合、つまり、ロック解除アイコンＱ１に対するユーザの接触操作が解除されていないと判定した場合、操作内容判定部１２１はユーザのスライド操作検出時刻からロック解除判定時間Ｔ１が経過したか否かを判定する。操作内容判定部１２１によりロック解除判定時間Ｔ１が経過していないと判定された場合、フローはステップＳＴ４５に戻る。
（ステップＳＴ５０）
ステップＳＴ４９において、ユーザのスライド操作の検出時刻（ｔ００１）からロック解除判定時間Ｔ１が経過したと判定した場合、即ち時刻（ｔ００３）において、表示内容判定部１２１はロック画面に表示されている表示用アプリケーション画像の変更を指示する表示用アプリケーション切替操作が行なわれたと判定する。
（ステップＳＴ５１）
表示切替部１２４は、表示用アプリケーション切替処理を実行する。これにより、ロック画面に表示されている表示用アプリケーション画像が初期設定時の方位磁針アプリケーションａｐｐ１の方位磁針画像ｓｃｒ１から他の表示用アプリケーションａｐｐ２、ａｐｐ３などの画像に切り替えられる。尚、ステップＳＴ５１の表示用アプリケーション切替処理を実行した後、フローをステップＳＴ４５に戻して、ロック状態のまま処理を継続するものであってもよい。或いは、フローをステップＳＴ４８に移行してロック状態を解除してもよい。【００５４】
次に、図１６を参照して、携帯端末１１のロック画面表示処理について説明する。
（ステップＳＴ６１）
携帯端末１１は、操作部１１１を介して、ロック画面の表示指示を受け付ける。例えば、省電力モードの待機中の状態において、電源スイッチの操作が行なわれた場合、操作内容判定部１２１はロック画面の表示操作を受け付けたことを判定する。操作内容判定部１２１は、ロック画面の表示操作を受け付けたことを示す情報を表示制御部１２２に出力する。
（ステップＳＴ６２）
次に、表示制御部１２２は記憶部１０３の表示用アプリケーション起動情報１３４を参照して、表示フラグ「１」となっている表示用アプリケーションを検索する。図３では、方位磁針アプリケーションａｐｐ１のアプリケーションＩＤ「Ａ００１」の表示フラグが「１」となっている。このため、表示制御部１２２は方位磁針アプリケーションａｐｐ１を起動する。
（ステップＳＴ６３）
表示制御部１２２は、方位磁針アプリケーションａｐｐ１の方位磁針画像ｓｃｒ１を表示部１１２の第１表示領域Ｒ１に表示する。登録部１２３は、一時記憶領域１３２のフラグ情報を書き換える。登録部１２３は、フラグ情報として直近で起動した表示用アプリケーションを示す情報を書き込む。つまり、登録部１２３は方位磁針アプリケーションａｐｐ１のアプリケーションＩＤ「Ａ００１」をフラグ情報として書き込む。
（ステップＳＴ６４）
表示制御部１２２は、第２表示領域Ｒ２にロック解除アイコンＱ１を表示する。
（ステップＳＴ６５）
表示制御部１２２は、第３表示領域Ｒ３にエンドマークＱ２を表示する。
（ステップＳＴ６６）
表示制御部１２２は、第４表示領域Ｒ４にスライドバーＱ３と表示切替マークＱ５とを表示する。【００５５】
このように、表示制御部１２２がロック画面表示処理を実行することにより、表示部１１２はロック画面の初期設定時の方位磁針アプリケーションａｐｐ１の方位磁針ｓｃｒ１を第１表示領域Ｒ１に表示するとともに、第２表示領域Ｒ２にロック解除アイコンＱ１を表示し、第３表示領域Ｒ３にエンドマークＱ２を表示し、第４表示領域Ｒ４にスライドバーＱ３と表示切替マークＱ５とを表示する。【００５６】
実施例２に係る携帯端末１１は上記の処理に限定されるものではない。例えば、図１７に示すようなロック画面を表示してもよい。図１７に示すとおり、携帯端末１１の表示部１１２に表示されているロック画面には、第１表示領域Ｒ１と、第２表示領域Ｒ２と、第３表示領域Ｒ３と、第４表示領域Ｒ４とを含む。ロック状態において、操作内容判定部１２１は第２表示部Ｒ２と、第３表示部Ｒ３と、第４表示部Ｒ４とに対する操作を受け付ける。第４表示領域Ｒ４は、ロック解除アイコンＱ１が移動するスライドバーＱ６を表示する領域である。このスライドバーＱ６はアーチ状の形状を有しており、その一端は第２表示領域Ｒ２（即ち、ロック解除アイコンＱ１）に接続され、他端は第３表示領域Ｒ３（エンドマークＱ２）に接続されている。このスライドバーＱ６は、第２表示領域Ｒ２と第３表示領域Ｒ３との中間位置が第１表示領域Ｒ１に最も近い頂点部となっており、当該頂点部に表示切替マークＱ５が表示されている。スライドバーＱ６をアーチ形状とすることにより、ユーザがロック解除操作Ｑ１をスライド操作する際にユーザの意図に反してエンドマークＱ３まで行き過ぎてしまうことを抑止することができる。【００５７】
このように、実施例２の変形例に係る携帯端末１１は、第２表示領域Ｒ２と第３表示領域Ｒ３（エンドマークＱ２）との中間位置でロック解除アイコンＱ１に対するユーザの接触操作が維持された場合、当該接触操作の時間長に応じて、表示用アプリケーションの内容を切り替える。これにより、ユーザは第２表示領域Ｒ２と第３表示領域Ｒ３との中間位置である第４表示領域Ｒ４へのロック解除操作Ｑ１の移動操作を行い、かつ、第４表示領域Ｒ４においてロック解除操作Ｑ１を所定時間保持することにより、ロック画面に表示されている表示用アプリケーション画像を容易に切り替えることができる。このように、ロック解除操作と似ているが異なる操作を表示用アプリケーション切替操作とすることで、ロック解除操作で使用される表示領域をそのまま利用することができるので、上記の操作を有効とする表示領域を限定することができ、ユーザによる誤操作を防止することができる。また、表示用アプリケーション切替操作はロック解除操作と似ているため、ユーザは異なる系統の操作を覚える必要がない。【００５８】
実施例２に係る携帯端末１１において、ユーザが第２表示領域Ｒ２からスライドバーＱ６の中間位置でロック解除アイコンＱ１に対する接触操作を維持した場合、当該接触操作の時間長に応じて、表示部１１２に表示された表示用アプリケーションの内容を切り替える。これにより、ユーザが第２表示領域Ｒ２と第３表示領域Ｒ３との間の曲線部分（第４表示領域Ｒ４）へのロック解除アイコンＱ１の移動操作を行い、当該曲線部分においてロック解除アイコンＱ１を所定時間保持することにより、ロック画面に表示されている表示用アプリケーションの内容を容易に切り替えることができる。このように、ロック解除操作と似ているが異なる操作を表示用アプリケーション切替操作とすることで、ロック解除操作で利用される表示領域をそのまま使用することができるので、上記の操作を有効とする表示領域を限定することができ、ユーザによる誤操作を防止することができる。また、表示用アプリケーション切替操作はロック解除操作と似ているので、ユーザは異なる系統の操作を覚える必要はない。更に、表示用アプリケーション切替操作はスライドバーＱ６の曲線部分で行なわれるため、ユーザには目印となる。
【実施例３】
【００５９】
次に、図１８及び図１９を参照して、本発明の実施例３に係る携帯端末１２の処理について説明する。この携帯端末１２は、実施例１の携帯端末１と同様の構成を有している。携帯端末１２は、ロック画面表示処理が実行されると、前述の携帯端末１と同様にロック画面を表示部１１２に表示する。この携帯端末１２は、表示用アプリケーション切替処理により表示用アプリケーション画像を変更するものではなく、表示用アプリケーション画像の種類を変更するものである。【００６０】
図１８に示すとおり、ロック表示処理が実行されると、表示制御部１２２は図４に示すように初期設定時の方位磁針画像ｓｃｒ１を表示部１１２に表示する。ユーザが指で第２表示領域Ｒ２に接触操作した場合、操作内容判定部１２１は当該接触操作を検出する。次に、ユーザが接触操作したロック解除アイコンＱ１を移動操作すると、操作内容判定部１２１はスライド操作を検出する。操作内容判定部１２１は、ユーザのスライド操作がロック解除操作を意図しているか否かを判定する。図１８（ａ）に示すとおり、操作内容判定部１２１により、ユーザがロック解除アイコンＱ１をエンドマークＱ２までスライド操作した後、ロック解除操作Ｑ１に対するユーザの接触状態が一定時間（ロック解除時間Ｔ１）以上経過したか否かを判定する。ユーザのスライド操作を検出した時刻（ｔ００１）からロック解除判定時間Ｔ１が経過した時刻（ｔ００３）においてもユーザが接触状態を継続している場合、つまり、ロック解除判定時間Ｔ１内にユーザによる接触操作が解除されていないと判定された場合、表示制御部１２２はロック解除判定時間Ｔ１の経過時刻（ｔ００３）において表示用アプリケーション切替処理を実行する。これにより、図１８（ｂ）に示すとおり、表示制御部１２２はロック画面における表示用アプリケーション画像を方位磁針画像ｓｃｒ１のみから方位磁針画像ｓｃｒ１と時計画像ｓｃｒ２とを表示するように切り替える。【００６１】
次に、操作内容判定部１２１はロック解除アイコンＱ１へのユーザの接触状態が一定時間（切替時間Ｔ２）以上経過したか否かを判定する。表示用アプリケーション切替処理の実行時刻（ｔ００３）から切替時間Ｔ２が経過した時刻（ｔ００４）においてもユーザが接触操作を継続している場合、つまり、切替時間Ｔ２内にユーザによる接触操作が解除されていないと判定された場合、表示制御部１２２は切替時間Ｔ２が経過した時刻（ｔ００４）において再度表示用アプリケーション切替処理を実行する。これにより、図１８（ｃ）に示すとおり、表示制御部１２２はロック画面における表示用アプリケーション画像を方位磁針画像ｓｃｒ１と時計画像ｓｃｒ２から、方位磁針画像ｓｃｒ１と、時計画像ｓｃｒ２と、カレンダー画像ｓｃｒ３とに切り替える。【００６２】
操作内容判定部１２１は、ロック解除アイコンＱ１に対するユーザの接触状態が一定時間（切替時間Ｔ２）以上経過したか否かを判定する。前回の表示用アプリケーション画像の切替時刻から切替時間Ｔ２が経過した時刻後においても、ユーザによる接触操作が継続されている場合、つまり、切替時間Ｔ２内にユーザの接触操作が解除されていないと判定された場合、表示制御部１２２は切替時間Ｔ２経過後に再度表示用アプリケーション切替処理を実行する。これにより、図１８（ｄ）に示すとおり、表示制御部１２２はロック画面における表示用アプリケーション画像を方位磁針画像ｓｃｒ１と、時計画像ｓｃｒ２と、カレンダー画像ｓｃｒ３から方位磁針画像ｓｃｒ１と、時計画像ｓｃｒ２と、カレンダー画像ｓｃｒ３と、ニュース画像ｓｃｒ４とに切り替える。【００６３】
更に、操作内容判定部１２１はロック解除アイコンＱ１へのユーザの接触状態が一定時間（切替時間Ｔ２）以上経過したか否かを判定する。前回の表示用アプリケーション切替操作から切替時間Ｔ２の経過時刻後においてもユーザの接触操作を継続している場合、つまり、切替時間Ｔ２内にユーザの接触操作が解除されていないと判定した場合、表示制御部１２２は切替時間Ｔ２の経過後に再度表示用アプリケーション切替処理を実行する。これにより、図１８（ｅ）に示すとおり、表示制御部１２２はロック画面における表示用アプリケーション画像として方位磁針画像ｓｃｒ１と、時計画像ｓｃｒ２と、カレンダー画像ｓｃｒ３と、ニュース画像ｓｃｒ４とを表示することを止めて、当該ロック画面において何も表示しないようにしてもよい。【００６４】
尚、携帯端末１２の画面上の表示用アプリケーションの数が表示可能な表示用アプリケーション画像の最大数として予め設定された最大表示アプリケーション数ｔｈ１以上になった場合、その後に表示用アプリケーション画像を切り替える際に、表示制御部１２２は表示用アプリケーション画像の数を「０」にリセットして、表示部１１２に画像を表示しないようにしてもよい。この最大表示用アプリケーション数ｔｈ１は、表示用アプリケーション画像の大きさと表示用アプリケーション画像を表示する画面領域の大きさとに応じて、予め決められている。【００６５】
次に、図１９を参照して端末装置１２の表示用アプリケーション切替処理について説明する。尚、端末装置１２は図８に示す基本処理と、図９に示すロック画面表示処理とを実行することが可能である。このため、携帯端末１２における図１９の表示用アプリケーション切替処理以外の処理の説明を省略する。
（ステップＳＴ７１）
携帯端末１２において、操作内容判定部１２１がユーザによる表示用アプリケーション切替処理の指定を判定すると（例えば、図８のステップＳＴ９）、表示制御部１２２は表示部１１２に現在表示されている表示用アプリケーション画像の種類を示すパラメータｍ＝１をインクリメントする。つまり、表示制御部１２２は表示用アプリケーション画像の種類を示すパラメータをｍ＝１＋１＝２として、一時記憶領域１３２に書き込む。【００６６】
表示制御部１２２は、一時記憶領域１３２を参照して、フラグ情報として記憶されている表示用アプリケーションを検索する。図９のステップＳＴ２３において一時記憶領域１３２のフラグ情報として、方位磁針アプリケーションａｐｐ１のアプリケーションＩＤ「Ａ００１」が書き込まれている。表示制御部１２２は、一時記憶領域１３２に書き込まれている表示用アプリケーション画像に含まれる表示用アプリケーション画像の種類を示すパラメータｍ＝２の数だけ、他の表示用アプリケーションを起動する。例えば、表示制御部１２２は表示用アプリケーション起動情報１３４を参照して、アプリケーションＩＤ「Ａ００１」の方位磁針アプリケーションａｐｐ１の次の順位の時計アプリケーションａｐｐ２を更に起動する。ここで、方位磁針アプリケーションａｐｐ１は起動したままである。【００６７】
表示制御部１２２は、時計アプリケーションａｐｐ２の時計画像ｓｃｒ２を方位磁針アプリケーションａｐｐ１の方位磁針画像ｓｃｒ１とともに、表示部１１２の第１表示領域Ｒ１に表示する。尚、第２表示領域Ｒ２と第３表示領域Ｒ３の表示内容は変更されない。つまり、表示部１１２は方位磁針アプリケーションａｐｐ１の方位磁針画像ｓｃｒ１と時計アプリケーションａｐｐ２の時計画像ｓｃｒ２とを第１表示領域Ｒ１に表示するとともに、第２表示領域Ｒ２にロック解除アイコンＱ１を表示し、第３表示領域Ｒ３にエンドマークＱ３を表示する。登録部１２３は、一時記憶領域１３２のフラグ情報を書き換える。登録部１２３は、フラグ情報として、直近で起動した時計アプリケーションａｐｐ２を示す情報を書き込む。つまり、登録部１２３は時計アプリケーションａｐｐ２のアプリケーションＩＤ「Ａ００２」をフラグ情報として書き込む。尚、登録部１２３は既に書き込まれているフラグ情報である方位磁針アプリケーションａｐｐ１のアプリケーションＩＤ「Ａ００１」に上書きすることなく、アプリケーションＩＤ「Ａ００１」と「Ａ００２」とを示すフラグ情報を一時記憶領域１３２に書き込む。【００６８】
（ステップＳＴ７２）
操作内容判定部１２１は、ロック状態における表示用アプリケーション画像を切り替えた時刻から切替時間Ｔ２が経過したか否かを判定する。
（ステップＳＴ７３）
ロック状態において切替時間Ｔ２が経過したことを検出すると、操作内容判定部１２１は当該ロック画面において表示用アプリケーション画像の変更を指示する表示用アプリケーション切替操作がユーザによりなされたと判定する。
（ステップＳＴ７４）
ユーザによる表示用アプリケーション切替操作がなされたと判定されると、表示制御部１２２は記憶部１０３の一時記憶領域１３２を参照して、フラグ情報として記憶されている表示用アプリケーションを検索する。また、表示制御部１２２はフラグ情報として記憶されている表示用アプリケーションのアプリケーションＩＤの数が最大表示アプリケーション数ｔｈ１＝「４」未満か否かを判定する。【００６９】
ステップＳＴ７１において一時記憶領域１３２のフラグ情報が書き換えられており、方位磁針アプリケーションａｐｐ１のアプリケーションＩＤ「Ａ００１」と、時計アプリケーションａｐｐ２のアプリケーションＩＤ「Ａ００２」とが、フラグ情報として記憶されている。つまり、フラグ情報として現在記憶されている表示用アプリケーションのアプリケーションＩＤの数「２」が最大表示アプリケーション数ｔｈ１＝「４」未満であるため、表示制御部１２２は表示用アプリケーションの数をインクリメントする。そして、表示制御部１２２は表示用アプリケーション起動情報１３４を参照して、時計アプリケーションａｐｐ２のアプリケーションＩＤ「Ａ００２」の次の順位のカレンダーアプリケーションａｐｐ３を起動する。ここで、方位磁針アプリケーションａｐｐ１と時計アプリケーションａｐｐ２とは起動させたままである。【００７０】
表示制御部１２２は、カレンダーアプリケーションａｐｐ３のカレンダー画像ｓｃｒ３を、方位磁針アプリケーションａｐｐ１の方位磁針画像ｓｃｒ１と時計アプリケーションａｐｐ２の時計画像ｓｃｒ２とともに、表示部１１２の第１記憶領域Ｒ１に表示する。ここで、第２表示領域Ｒ２と第３表示領域Ｒ３の表示内容は変更されない。つまり、表示部１１２は方位磁針アプリケーションａｐｐ１の方位磁針画像ｓｃｒ１と、時計アプリケーションａｐｐ２の時計画像ｓｃｒ２と、カレンダーアプリケーションａｐｐ３のカレンダー画像ｓｃｒ３とを第１表示領域Ｒ１に表示するとともに、第２表示領域Ｒ２にロック解除アイコンＱ１を表示し、第３表示領域Ｒ３にエンドマークＱ２を表示する。【００７１】
その後、登録部１２３は一時記憶領域１３２のフラグ情報を書き換える。登録部１２３は、フラグ情報として、直近で起動した表示用アプリケーションを示す情報を書き込む。つまり、登録部１２３はカレンダーアプリケーションａｐｐ３のアプリケーションＩＤ「Ａ００３」をフラグ情報として書き込む。尚、登録部１２３は既に書き込まれているフラグ情報に上書きすることなく、アプリケーションＩＤ「Ａ００１」、「Ａ００２」、「Ａ００３」をフラグ情報として一時記憶領域１３２に書き込む。【００７２】
その後、フローはステップＳＴ７２に戻って、ロック状態における表示用アプリケーション画像を切り替えた時刻から切替時間Ｔ２が経過したか否かを判定する。ロック画面において切替時間Ｔ２が経過したことが検出されると、操作内容判定部１２１は当該ロック画面に表示されている表示用アプリケーション画像の変更を指示する表示用アプリケーション切替操作がユーザによりなされたと判定する。ユーザによる表示用アプリケーション切替操作がなされたことが検出されると、表示制御部１２２は記憶部１０３の一時記憶領域１３２を参照して、フラグ情報として記憶されている表示用アプリケーションを検索する。また、表示制御部１２２はフラグ情報として記憶されている表示用アプリケーションのアプリケーションＩＤの数が最大表示アプリケーション数ｔｈ１＝「４」未満であるか否かを判定する。【００７３】
一時記憶領域１３２のフラグ情報は上述の通りに書き換えられており、方位磁針アプリケーションａｐｐ１のアプリケーションＩＤ「Ａ００１」と、時計アプリケーションａｐｐ２のアプリケーションＩＤ「Ａ００２」と、カレンダーアプリケーションａｐｐ３のアプリケーションＩＤ「Ａ００３」とが、フラグ情報として記憶されている。つまり、フラグ情報として記憶されている表示用アプリケーションのアプリケーションＩＤの数「３」が最大表示アプリケーション数ｔｈ１＝「４」未満であるため、表示制御部１２２は表示用アプリケーションの数をインクリメントする。表示制御部１２２は、表示用アプリケーション起動情報１３４を参照して、カレンダーアプリケーションａｐｐ３のアプリケーションＩＤ「Ａ００３」の次の順位のニュースアプリケーションａｐｐ４を検索して起動する。ここで、方位磁針アプリケーションａｐｐ１と、時計アプリケーションａｐｐ２と、カレンダーアプリケーションａｐｐ３とは起動させたままである。【００７４】
表示制御部１２２は、新たに起動したニュースアプリケーションａｐｐ４のニュース画像ｓｃｒ４を、方位磁針アプリケーションａｐｐ１の方位磁針画像ｓｃｒ１と、時計アプリケーションａｐｐ２の時計画像ｓｃｒ２と、カレンダーアプリケーションａｐｐ３のカレンダー画像ｓｃｒ３とともに、表示部１１２の第１表示領域Ｒ１に表示する。ここで、第２表示領域Ｒ２と第３表示領域Ｒ３の表示内容は変更されない。つまり、表示部１１２は方位磁針アプリケーションａｐｐ１の方位磁針画像ｓｃｒ１と、時計アプリケーションａｐｐ２の時計画像ｓｃｒ２と、カレンダーアプリケーションａｐｐ３のカレンダー画像ｓｃｒ３と、ニュースアプリケーションａｐｐ４のニュース画像ｓｃｒ４とを、第１表示領域Ｒ１に表示するとともに、第２表示領域Ｒ２にロック解除アイコンＱ１を表示し、第３表示領域Ｒ３にエンドマークＱ２を表示する。【００７５】
その後、登録部１２３は一時記憶領域１３２のフラグ情報を書き換える。登録部１２３は、フラグ情報として直近で起動した表示用アプリケーションを示す情報を書き込む。つまり、登録部１２３はニュースアプリケーションａｐｐ４のアプリケーションＩＤ「Ａ００４」をフラグ情報として書き込む。尚、登録部１２３は既に書き込まれているフラグ情報に上書きすることなく、アプリケーションＩＤ「Ａ００１」、「Ａ００２」、「Ａ００３」、「Ａ００４」をフラグ情報として一時記憶領域１３２に書き込む。【００７６】
フローはステップＳＴ７２に戻り、操作内容判定部１２１はロック画面において表示用アプリケーション画像を切り替えた時刻から切替時間Ｔ２が経過したか否かを判定する。ロック画面において切替時間Ｔ２が経過したことを検出すると、操作内容判定部１２１は当該ロック画面に表示されている表示用アプリケーション画像の変更を指示する表示用アプリケーション切替操作がユーザによりなされたと判定する。ユーザにより表示用アプリケーション切替処理がなされたことを検出すると、表示制御部１２２は記憶部１０３の一時記憶領域１３２を参照して、フラグ情報として記憶されている表示用アプリケーションを検索する。表示制御部１２２は、フラグ情報として記憶されている表示用アプリケーションのアプリケーションＩＤの数が最大表示アプリケーション数ｔｈ１＝「４」未満であるか否かを判定する。【００７７】
上述の通り、一時記憶領域１３２のフラグ情報が書き換えられており、方位磁針アプリケーションａｐｐ１のアプリケーションＩＤ「Ａ００１」と、時計アプリケーションａｐｐ２のアプリケーションＩＤ「Ａ００２」と、カレンダーアプリケーションａｐｐ３のアプリケーションＩＤ「Ａ００３」と、ニュースアプリケーションａｐｐ４のアプリケーションＩＤ「Ａ００４」とが、フラグ情報として記憶されている。フラグ情報として記憶されている表示用アプリケーションのアプリケーションＩＤの数「４」が最大表示アプリケーション数ｔｈ１＝「４」以上であるため、表示制御部１２２は表示用アプリケーションの数をゼロに設定する。【００７８】
このため、表示制御部１２２は表示部１１２の第１表示領域Ｒ１に何も表示しない。ここで、第２表示領域Ｒ２と第３表示領域Ｒ３の表示内容は変更されない。つまり、第１表示領域Ｒ１に何も表示せず、一方、第２表示領域Ｒ２にロック解除アイコンＱ１を表示し、第３表示領域Ｒ３にエンドマークＱ２を表示する。その後、登録部１２３は一時記憶領域１３２のフラグ情報を消去する。尚、一時記憶領域１３２にはフラグ情報としてアプリケーションＩＤが記憶されていないため、表示制御部１２２は表示用アプリケーション起動情報１３４を参照して、表示フラグが「１」とされている表示用アプリケーションを検索して、その画像を表示する。【００７９】
（ステップＳＴ７５）
ステップＳＴ７２において、表示用アプリケーション切替処理により表示用アプリケーション画像が切り替えられた時刻から切替時間Ｔ２が経過していない場合、操作内容判定部１２１はロック解除アイコンＱ１に対するユーザの接触操作が解除されたか否かを判定する。操作内容判定部１２１は、表示用アプリケーション切替処理を実行して表示用アプリケーション画像を切り替えた時刻から切替時間Ｔ２が経過する前に、ユーザの指がタッチパネル１０１の表示画面から離されたか否かを判定する。【００８０】
（ステップＳＴ７６）
表示用アプリケーション切替処理により表示用アプリケーション画像を切り替えた時刻から切替時間Ｔ２が経過する前にユーザの指がタッチパネル１０１の表示画面から離された場合、操作内容判定部１２１はユーザ操作が解除されたことを検出して、表示用アプリケーション切替処理を終了する。つまり、操作内容判定部１２１はユーザによる表示用アプリケーション画像の確定指示を受け付けたと判定して、ロック画面に表示される表示用アプリケーション画像の切替操作を終了し、現時点において表示部１１２に表示されている画像をロック画面に表示する表示用アプリケーション画像として確定する。登録部１２３は、表示用アプリケーション起動情報１３４において、表示用アプリケーションのアプリケーションＩＤの表示フラグを「１」から「０」に書き換える。また、登録部１２３は一時記憶領域１３２のフラグ情報として記憶されている表示用アプリケーションのアプリケーションＩＤの表示フラグを「１」に書き換える。【００８１】
つまり、登録部１２３は表示用アプリケーション起動情報１３４において、方位磁針アプリケーションａｐｐ１のアプリケーションＩＤ「Ａ００１」の表示フラグを「１」から「０」に書き換える。また、登録部１２３は一時記憶領域１３２のフラグ情報として記憶されているカレンダーアプリケーションａｐｐ３のアプリケーションＩＤ「Ａ００３」の表示フラグを「１」に書き換える。更に、登録部１２３は一時記憶領域１３２のフラグ情報を書き換える。登録部１２３は、フラグ情報として直近で起動した表示用アプリケーションのアプリケーションＩＤを一時記憶領域１３２に書き込む。【００８２】
実施例３に係る携帯端末１２は、上記の処理に限定されるものではない。例えば、携帯端末１２の表示用アプリケーション切替処理を図２０に示すように変形してもよい。図２０の表示用アプリケーション切替処理は、図１９の表示用アプリケーション切替処理のステップＳＴ７１乃至ＳＴ７４を含んでいるが、ステップＳＴ７５及びＳＴ７６に代えてステップＳＴ７５１及びＳＴ７６１を適用するものである。尚、前述のステップＳＴ７１乃至ＳＴ７４の説明は省略する。【００８３】
（ステップＳＴ７５１）
ステップＳＴ７２の判定結果が「ＮＯ」の場合、即ち、表示用アプリケーション切替処理により表示用アプリケーション画像を切り替えた時刻から切替時間Ｔ２が経過していないと判定した場合、操作内容判定部１２１は初期位置である第２表示領域Ｒ２までユーザによるロック解除アイコンＱ１の移動操作がなされたか否かを判定する。つまり、表示用アプリケーション切替処理を実行する際、操作内容判定部１２１はユーザのスライド操作により第２表示領域Ｒ２から第３表示領域Ｒ３まで移動されたロック解除アイコンＱ１が、再び、第３表示領域Ｒ３から第２表示領域Ｒ２まで戻される移動操作を受け付けたか否かを判定する。【００８４】
（ステップＳＴ７６１）
表示用アプリケーション切替処理により表示用アプリケーション画像を切り替えた時刻から切替時間Ｔ２が経過する前に、第３表示領域Ｒ３から第２表示領域Ｒ２までロック解除アイコンＱ１が戻された場合、操作内容判定部１２１は表示用アプリケーション画像を確定する。つまり、操作内容判定部１２１はユーザから表示用アプリケーション画像を確定する指示を受け付けたと判定して、ロック画面に表示される表示用アプリケーション画像の切替操作を終了し、現時点において表示されている画像をロック画面に表示される表示用アプリケーション画像として確定する。その後、登録部１２３は表示用アプリケーション起動情報１３４において、表示用アプリケーションのアプリケーションＩＤの表示フラグを「１」から「０」に書き換える。また、登録部１２３は一時記憶領域１３２のフラグ情報として記憶されている表示用アプリケーションのアプリケーションＩＤの表示フラグを「１」に書き換える。【００８５】
このように、上述の携帯端末ではロック解除アイコンＱ１に対するユーザの接触操作が解除されたことを検出すると、第１表示領域Ｒ１に表示される表示用アプリケーションの切替を確定する。これにより、ユーザは表示用アプリケーション切替操作を行なった後、ロック解除アイコンＱ１に対する接触操作を解除することにより、表示用アプリケーション画像の切替を容易に確定することができる。上述の携帯端末では、元の位置にロック解除アイコンＱ１を戻すと、第１表示領域Ｒ１に表示される表示用アプリケーション画像の切替を確定する。表示用アプリケーション切替操作を行なった後、ユーザの移動操作によりロック解除アイコンＱ１を第２表示領域Ｒ２へ移動することによって、表示用アプリケーション画像の切替を確実に確定することができる。表示用アプリケーション画像の切替を確定するための操作をロック解除操作とは異なる操作とすることにより、ユーザは両者を明確に区別することができる。【００８６】
上述の携帯端末において、表示用アプリケーション画像の切替確定と同時にロック状態も解除されるものとしてもよい。これにより、ユーザは表示用アプリケーション画像の切替と、ロック画面から所定の画面への遷移を一連の操作により実施することができる。また、上述の携帯端末は表示用アプリケーション画像の切替確定操作を行なってもロック状態を解除しないようにしてもよい。これにより、ユーザはロック画面から所定の画面への遷移をさせることなく、表示用アプリケーション画像を切り替えることができる。更に、上述の携帯端末では、ロック解除アイコンＱ１に対するユーザの接触操作の時間長に応じて、表示用アプリケーション画像の種類が切り替わる。これにより、ユーザはロック画面上の表示用アプリケーション画像の種類を容易に切り替えることができる。上述の携帯端末では、ロック解除アイコンＱ１に対するユーザの接触操作の時間長に応じて、ロック画面上の表示用アプリケーション画像の個数が切り替わる。これにより、ユーザはロック画面上の表示用アプリケーション画像の個数を容易に切り替えることができる。上述の携帯端末では、ロック解除アイコンＱ１に対するユーザの接触操作の時間長に応じて、当該ロック画面上の表示用アプリケーション画像の種類を切り替えるとともに、表示用アプリケーション画像の個数を切り替えることで、各表示用アプリケーション画像を表示するか、非表示するかを切り替えることができる。これにより、ユーザはロック画面上の表示用アプリケーション画像の表示／非表示を容易に切り替えることができる。【００８７】
図２において、タッチパネル１０１は操作部１１１と表示部１１２を含むものとしたが、この構成に限定されるものではない。表示部１１２をタッチセンサを搭載しないディスプレイとしたり、操作部１１１がマウス、キーボード、ボタンなどの操作手段としてもよい。【００８８】
本発明は、内部にコンピュータシステムを内蔵している情報処理装置に関するものであり、その処理や操作手順はプログラム形式でコンピュータ読取り可能な記録媒体に記録されている。従って、情報処理装置のコンピュータシステムが記録媒体からプログラムを読み出して実行することにより、上述のようにユーザ操作に基づく処理が行なわれる。ここで、コンピュータシステムとはＣＰＵ及び各種メモリやＯＳ（Ｏｐｅｒａｔｉｎｇ  Ｓｙｓｔｅｍ）、周辺機器等のハードウェアを含む。また、コンピュータシステムはＷＷＷシステムを利用している場合であれば、ホームページ提供環境（或いは、表示環境）も含むようにしてもよい。【００８９】
上述のフローチャートのステップを実現するためのプログラムをコンピュータ読取り可能な記録媒体に記録してもよい。また、上述のブロック図やフローチャートに表した機能を実現するためのプログラムをコンピュータシステムに読み込ませて実行することにより、検出対象物（例えば、ユーザの生体的特徴や物理的な操作手段）の形状情報の推定値を算出するようにしてもよい。コンピュータ読取り可能な記録媒体とは、フレキシブルディスク、光磁気ディスク、ＲＯＭ、フラッシュメモリなどの書込可能な不揮発メモリ、ＣＤ−ＲＯＭなどの可搬媒体、コンピュータに内蔵されるハードディスクなどの記憶装置のことをいう。【００９０】
更に、コンピュータ読取り可能な記録媒体とは、インターネットなどのネットワークや電話回線などの通信回線を介してプログラムが送信された場合のサーバやクライアントとなるコンピュータシステム内部の不揮発メモリ（例えば、ＤＲＡＭ）のように、一定時間プログラムを保持しているものを含む。上記のプログラムはコンピュータシステムの記録媒体に格納して、読み出して、伝送媒体を介して（或いは、伝送媒体中の伝送波を介して）他のコンピュータシステムに伝送するようにしてもよい。プログラムを伝送する「伝送媒体」は、インターネットなどのネットワーク（通信網）、電話回線や通信回線、のように電気通信方法により情報を伝送する機能を有する媒体のことをいう。上記のプログラムは上述の機能や操作手順の一部を実現するものであってもよい。また、上述の機能や操作手順をコンピュータシステムに既に記録されているプログラムとの組み合わせで実現できるもの、即ち、差分ファイル（差分プログラム）であってもよい。
【産業上の利用可能性】
【００９１】
本発明は、携帯端末やスマートフォンなどの情報処理装置に適用されるものであり、インタラクティブにユーザ操作を受け付けて円滑に処理するものである。特に、小型の情報処理装置は蓄電能力が限定されているため、パワーダウンすることを防止したり、長時間機能を維持するための省電力モードを採用したり、ユーザが情報処理装置を使用していないときに誤操作を防止するためにロック画面を適用している。このロック画面からの復帰操作を円滑にし、かつ、ユーザの好みの画像を当該ロック画面解除後の表示面に貼り付けることができる。このように、本発明はユーザフレンドリィでインタラクティブな機能を実現し、かつ、誤操作によるセキュリィテイ上の問題を防止し、また、省エネルギー化による環境上の配慮から有効な手法を提供するものであり、多くの電子機器にも適用可能である。
【符号の説明】
【００９２】
１、１１、１２  携帯端末
１０１  タッチパネル
１０２  制御部
１０３  記憶部
１０４  音声信号処理部
１０５  無線通信部
１０６  タイマー
１０７  検出部
１１１  操作部
１１２  表示部
１２１  操作内容判定部
１２２  表示制御部
１２３  登録部
１３１  プログラム記憶領域
１３２  一時記憶領域
１３３  表示情報記憶領域
１７１  位置検出部
１７２  温度計
Ｒ１  第１表示部
Ｒ２  第２表示部
Ｒ３  第３表示部
Ｒ４  第４表示部
Ｑ１  ロック解除アイコン
Ｑ２  エンドマーク
Ｑ３  スライドバー
Ｑ４  指アイコン
Ｑ５  表示切替マーク
【図１】
0006028734.tif 000002
【図２】
0006028734.tif 000003
【図３】
0006028734.tif 000004
【図４】
0006028734.tif 000005
【図５】
0006028734.tif 000006
【図６】
0006028734.tif 000007
【図７】
0006028734.tif 000008
【図８】
0006028734.tif 000009
【図９】
0006028734.tif 000010
【図１０】
0006028734.tif 000011
【図１１】
0006028734.tif 000012
【図１２】
0006028734.tif 000013
【図１３】
0006028734.tif 000014
【図１４】
0006028734.tif 000015
【図１５】
0006028734.tif 000016
【図１６】
0006028734.tif 000017
【図１７】
0006028734.tif 000018
【図１８】
0006028734.tif 000019
【図１９】
0006028734.tif 000020
【図２０】
0006028734.tif 000021